【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
ホログラフィックディスプレイ装置において生成される３次元のホログラフィック再構成においてスペックルを減少する方法であって、
前記ホログラフィックディスプレイ装置は、
３Ｄシーンがエンコードされ、十分にコヒーレントな光を用いて照明されるコントローラブルな光変調器であって、再構成手段の支援を受けて目の位置近傍に、定義済みの仮想的な観察ウィンドウを生成する光変調器
を具備し、
前記仮想的な観察ウィンドウ内において、独立し相互にインコヒーレントな配光が、独立し相互にインコヒーレントなサブ観察ウィンドウを形成し、前記照明が制御手段により制御される、前記方法であって、
前記同じ３Ｄシーンについての複素波面が、観察ウィンドウ（４）を等しい形状で分割した独立し相互にインコヒーレントなサブ観察ウィンドウ（４１・・・４ｎ）が、再構成対象となる前記全ての３Ｄシーンのために生成されるように、前記観察ウィンドウ（４）内において前記独立し相互にインコヒーレントな配光をともに生成し、
前記３Ｄシーンの再構成が、前記３Ｄシーンについての単一スペックルが減少された再構成（６）が前記目の位置（ＰＥ）で見られるように、相互にインコヒーレントな方式で再構成空間内の前記同じ場所に重ね合わされる
ことを特徴とするスペックルを減少する方法。
【請求項２】
少なくとも２つの独立し相互にインコヒーレントなサブ観察ウィンドウ（４１・・・４ｎ）が前記３Ｄシーンのためにともに生成され、
前記方法においては、
少なくとも２つの独立した光変調領域（１１・・・１ｎ）において、前記３Ｄシーンについての前記複素波面が直接エンコードされ、
前記独立した光変調領域（１１・・・１ｎ）が、照明手段（Ｌ１・・・Ｌｎ）により相互にインコヒーレントな方式で照明され、
相互にインコヒーレントな方式で照明される前記光変調領域（１１・・・１ｎ）が、再構成手段（２１・・・２ｍ）により、相互に隣接して位置付けられ前記少なくとも２つの独立し相互にインコヒーレントなサブ観察ウィンドウ（４１・・・４ｎ）に結像される
ことを特徴とする請求項１記載のスペックルを減少する方法。
【請求項３】
少なくとも２つの独立し相互にインコヒーレントなサブ観察ウィンドウ（４１・・・４ｎ）が前記３Ｄシーンのためにともに生成され、
前記方法においては、
前記３Ｄシーンに対応する前記複素波面が、少なくとも２つのサブ観察ウィンドウ（４１・・・４ｎ）のための前記観察ウィンドウ（４）内におけるインコヒーレントな照明と同等になるように演算されるとともに、前記インコヒーレントに演算された波面が、前記光変調器（１）上で変換され、結合したホログラムとしてエンコードされ、
照明手段（Ｌ）は、
十分にコヒーレントな光を用いて前記光変調器（１）を照明し、
前記再構成手段（２０、３）は、
前記ホログラムを、相互にインコヒーレントであり前記同じサイズを有して相互に隣接して位置付けられる、少なくとも２つのサブ観察ウィンドウ（４１・・・４ｎ）に逆変換する
ことを特徴とする請求項１記載のスペックルを減少する方法。
【請求項４】
前記波面は、
前記少なくとも２つのサブ観察ウィンドウ（４１・・・４ｎ）内において、異なるオブジェクト位相を用いてインコヒーレントに演算される
ことを特徴とする請求項３記載のスペックルを減少する方法。
【請求項５】
前記再構成手段は、
スクリーンとして機能する光学結像素子（３）を含む
ことを特徴とする請求項２記載のスペックルを減少する方法。
【請求項６】
前記スクリーンは、反射タイプであり、
前記複素波面の前記配光は、
全ての再構成が前記観察ウィンドウ（４）の前面にある再構成空間内で生成され、前記スクリーンの前面及び背面の両方で可視化されるように、前記スクリーンの前面で前記観察ウィンドウ（４）に変換される、
又は、前記スクリーンは、透過型タイプであり、
前記複素波面の前記配光は、
全ての再構成が前記観察ウィンドウ（４）の前面にある再構成空間内で生成され、前記スクリーンの前面及び背面の両方で可視化されるように、光の伝播方向に見られる前記スクリーンの背面で前記観察ウィンドウ（４）に変換される
ことを特徴とする請求項５記載のスペックルを減少する方法。
【請求項７】
請求項２に記載の方法に関するスペックルを減少するホログラフィックディスプレイ装置であって、
十分にコヒーレントな光を照射するが相互にインコヒーレントである少なくとも２つの照明手段（Ｌ１・・・Ｌｎ）であって、少なくとも２つの独立した光変調領域（１１・・・１ｎ）を照明する照明手段（Ｌ１・・・Ｌｎ）と、
光変調器（１）形式のエンコーディング手段であって、当該光変調器（１）上の独立した領域内において、前記３Ｄシーンが複素波面の形式で数回エンコードされる、エンコーディング手段と、
３Ｄシーン全体について観察ウィンドウ（４）を等しい形状で分割した独立し相互にインコヒーレントなサブ観察ウィンドウ（４１・・・４ｎ）を再構成させるために、観察空間の観察ウィンドウ（４）内の前記３Ｄシーンについての前記複素波面各々の相互にインコヒーレントな配光を用いて、前記独立した光変調領域（１１・・・１ｎ）を、独立し相互にインコヒーレントであり、相互に隣接して位置付けられる少なくとも２つのサブ観察ウィンドウ（４１・・・４ｎ）に結像させる再構成手段（２１・・・２ｎ、３）と、
前記照明手段（Ｌ１・・・Ｌｎ）、前記エンコーディング手段、前記再構成手段（２１・・・２ｎ、３）を制御する制御手段（７）と
が光の伝播方向に次々に提供されていることを特徴とするホログラフィックディスプレイ装置。
【請求項８】
前記再構成手段は、
複数ピースのレンズシステム（２１・・・２ｎ）を含み、前記レンズシステム（２１・・・２ｎ）の各レンズは、光変調領域（１１・・・１ｎ）の１次元結像用のレンズ状の水晶体であるか、
又は、前記複数の光変調領域（１１・・・１ｎ）の前記２次元結像用のマトリックスレンズアレイとして形成される複数ピースのレンズシステム（２１・・・２ｎ）を含む
ことを特徴とする請求項７記載のホログラフィックディスプレイ装置。
【請求項９】
前記独立し相互にインコヒーレントなサブ観察ウィンドウ（４１・・・４ｎ）は、
１次元で相互に隣接して水平に配置されるとともに、全体的に横に向かって広がりを有しており、一つの目（５）を対象とした前記観察ウィンドウ（４）の所定の前記水平な幅（ｂ）を少なくとも有するか、
又は、１次元で相互に隣接して垂直に配置されるとともに、全体的に垂直な広がりを有しており、一つの目（５）を対象とした前記観察ウィンドウ（４）の所定の前記垂直な高さを少なくとも有する
ことを特徴とする請求項７記載のホログラフィックディスプレイ装置。
【請求項１０】
前記独立し相互にインコヒーレントなサブ観察ウィンドウ（４１・・・４ｎ）は、
前記観察ウィンドウ（４）内に２次元で配置されている
ことを特徴とする請求項７記載のホログラフィックディスプレイ装置。
【請求項１１】
前記サブ観察ウィンドウ（４１・・・４ｎ）の前記全体的な水平及び垂直な広がりは、前記目（５）の瞳（５１）の直径により決められる
ことを特徴とする請求項９記載のホログラフィックディスプレイ装置。
【請求項１２】
単一のサブ観察ウィンドウ（４１・・・４ｎ）は、瞳（５１）よりも常に小さい
ことを特徴とする請求項７記載のホログラフィックディスプレイ装置。
【請求項１３】
前記光学的コンポーネントは、
ダイレクトビュー表示又は投影表示のいずれかに適用される
ことを特徴とする請求項７記載のホログラフィックディスプレイ装置。